(57)【要約】      （修正有）【課題】適切な量のマスカラ液をまつ毛に対して均一に塗布して、美しく仕上げる化粧料塗布具を提供する。【解決手段】化粧料塗布具３０は、棒状に形成された芯材３２と、芯材３２の一端部において、複数の毛材を芯材３２から放射状に延びるように配設することによって形成された塗布部３３と、芯材３２の他端部が取り付けられた保持部３１と、を備える。そして、塗布部３３は、複数の毛材のうち一部の毛材の先端部をカットすることにより該一部の毛材の先端が略同一平面上に配設されてなる毛先面である毛先平面を有する。また、毛先平面は、芯材３２に対して略平行に延びるように形成されている。さらに、芯材３２と毛先平面との距離は、１．３５ｍｍ以上、１．６５ｍｍ以下に設定されている。【選択図】図１
0003173590.tif 000002
【実用新案登録請求の範囲】
【請求項１】
マスカラ液をまつ毛に対して塗布するための化粧料塗布具であって、
棒状に形成された芯材と、
前記芯材の一端部において、複数の毛材を前記芯材から放射状に延びるように配設することによって形成された塗布部と、
前記芯材の他端部が取り付けられた保持部と、を備え、
前記塗布部は、前記複数の毛材のうち一部の毛材の先端部をカットすることにより該一部の毛材の先端が略同一平面上に配設されてなる毛先面である毛先平面を有し、
前記毛先平面は、前記芯材に対して略平行に延びるように形成され、
前記芯材と前記毛先平面との距離は、１．３５ｍｍ以上、１．６５ｍｍ以下に設定されていることを特徴とする化粧料塗布具。
【請求項２】
前記塗布部は、前記複数の毛材のうち他部の毛材の先端が略同一円弧面上に配設されてなる毛先面である毛先円弧面と前記毛先平面とを有して、前記芯材に直交する断面が略蒲鉾形に形成されていることを特徴とする請求項１に記載の化粧料塗布具。
【請求項３】
前記毛先円弧面を形成する毛材の長さは、２．３５ｍｍ以上、２．６５ｍｍ以下に設定されていることを特徴とする請求項２に記載の化粧料塗布具。
【考案の詳細な説明】
【技術分野】
【０００１】
本考案は、まつ毛へのマスカラ液の塗布に用いられる化粧料塗布具に関する。
【背景技術】
【０００２】
従来、マスカラ液（化粧料）の塗布に用いられる化粧料塗布具として、例えば、特許文献１に示す液塗布具が知られている。
この液塗布具は、芯材から放射状に突出する毛材によって形成された塗布部を有し、塗布部において、縦方向に所定の幅を有する横溝が形成されている。これによって、塗布部に形成された横溝において多量のマスカラ液を保持することができ、まつ毛（塗布対象毛）へのマスカラ液の塗布量を増加することが可能となる。
【先行技術文献】
【特許文献】
【０００３】
【特許文献１】特開２０１０−６９０２２号公報
【考案の概要】
【考案が解決しようとする課題】
【０００４】
しかしながら、従来の液塗布具では、まつ毛に対するマスカラ液の塗布量が過剰となり、また、マスカラ液をまつ毛に対して均一に塗布することが難しく、よって、塗りムラが発生して仕上がりが悪くなる恐れがある。
本考案の課題は、適切な量のマスカラ液をまつ毛に対して均一に塗布して、美しく仕上げることにある。
【課題を解決するための手段】
【０００５】
上記課題を達成するために、第一の考案に係る化粧料塗布具は、マスカラ液をまつ毛に対して塗布するための化粧料塗布具であって、棒状に形成された芯材と、前記芯材の一端部において、複数の毛材を前記芯材から放射状に延びるように配設することによって形成された塗布部と、前記芯材の他端部が取り付けられた保持部と、を備え、前記塗布部は、前記複数の毛材のうち一部の毛材の先端部をカットすることにより該一部の毛材の先端が略同一平面上に配設されてなる毛先面である毛先平面を有し、前記毛先平面は、前記芯材に対して略平行に延びるように形成され、前記芯材と前記毛先平面との距離は、１．３５ｍｍ以上、１．６５ｍｍ以下に設定されていることを特徴とする。
【０００６】
第一の考案に係る化粧料塗布具では、塗布部において、複数の毛材のうち一部の毛材の先端が略同一平面上に配設されてなる毛先面である毛先平面を有している。
これにより、毛先平面において、他の部分（塗布部のうち毛先平面を除く部分）と比較して多い量のマスカラ液を保持する（付着させる）ことができる。一方、他の部分に保持されるマスカラ液の量は、毛先平面と比較して少なくなる。
特に、芯材と毛先平面との距離が、１．３５ｍｍ以上、１．６５ｍｍ以下に設定されていることにより、毛先平面に保持されるマスカラ液の量が、適量となる。
したがって、マスカラ液をまつ毛に対して塗布する際には、まず、塗布部のうち毛先平面を用いて、毛先平面に保持されているマスカラ液をまつ毛に付着させる。これにより、適切な量のマスカラ液をまつ毛に付着させることができる。
その後、塗布部のうち他の部分を用いて、まつ毛に付着されたマスカラ液を塗り延ばす。これにより、マスカラ液をまつ毛の全体に対して均一に塗り延ばすことができ、まつ毛における塗りムラ（ダマ）の発生を抑制することが可能となる。
以上のように、第一の考案に係る化粧料塗布具によれば、適切な量のマスカラ液をまつ毛に対して均一に塗布することができ、美しく仕上げることが可能となる。
【０００７】
第二の考案に係る化粧料塗布具は、第一の考案に係る化粧料塗布具において、前記塗布部は、前記複数の毛材のうち他部の毛材の先端が略同一円弧面上に配設されてなる毛先面である毛先円弧面と前記毛先平面とを有して、前記芯材に直交する断面が略蒲鉾形に形成されていることを特徴とする。
第二の考案に係る化粧料塗布具では、塗布部が、複数の毛材のうち他部の毛材の先端が略同一円弧面上に配設されてなる毛先面である毛先円弧面及び毛先平面を有している。
これにより、毛先平面を用いて、適切な量のマスカラ液をまつ毛に付着させた後に、毛先円弧面を用いて、まつ毛に付着されたマスカラ液を塗り延ばすことができ、まつ毛の全体に対するマスカラ液の塗り延ばしを容易に行うことが可能となる。
特に、第二の考案に係る化粧料塗布具では、塗布部の断面が略蒲鉾形（食パン形）に形成されていることにより、塗布部の取扱いが容易となる。
【０００８】
第三の考案に係る化粧料塗布具は、第二の考案に係る化粧料塗布具において、前記毛先円弧面を形成する毛材の長さは、２．３５ｍｍ以上、２．６５ｍｍ以下に設定されていることを特徴とする。
第三の考案に係る化粧料塗布具では、毛先円弧面を形成する毛材の長さが適切に設定されているため、取扱いが容易となり、毛先円弧面を用いて、まつ毛の生え際、つまり、まつ毛のより根本に近い部分からまつ毛の先端に至るまでマスカラ液を均一に塗布する（塗り延ばす）ことが可能となる。
【考案の効果】
【０００９】
本考案によれば、適切な量のマスカラ液をまつ毛に対して均一に塗布することができ、美しく仕上げることが可能となる。
【図面の簡単な説明】
【００１０】
【図１】本考案に係る化粧料塗布具を備える化粧料容器を示す部分断面図である。
【図２】図１に示す化粧料容器が備える容器本体を示す部分断面図である。
【図３】図１に示す化粧料容器が備えるキャップ及び化粧料塗布具を示す部分断面図である。
【図４】図３に示す化粧料塗布具が備える塗布部を示す図である。
【図５】図４に示す塗布部を下方から見た状態を示す図である。
【図６】毛先平面を形成する前のスクリューブラシを示す図である。
【考案を実施するための形態】
【００１１】
以下、本考案の実施形態に係る化粧料容器１について、図面を参照しながら説明する。
（化粧料容器１の構成）
まず、化粧料容器１の構成について説明する。
図１は、本考案に係る化粧料塗布具を備える化粧料容器を示す部分断面図である。図２は、図１に示す化粧料容器が備える容器本体を示す部分断面図である。図３は、図１に示す化粧料容器が備えるキャップ及び化粧料塗布具を示す部分断面図である。図４は、図３に示す化粧料塗布具が備える塗布部を示す図である。図５は、図４に示す塗布部を下方（図４に示す下方）から見た状態を示す図である。図６は、毛先平面を形成する前のスクリューブラシを示す図である。
【００１２】
図１に示すように、化粧料容器１は、内部に液体状の化粧料を収容する容器本体１０と、容器本体１０に対して着脱可能となるキャップ２０と、キャップ２０に取り付けられた化粧料塗布具３０と、を備えている。
図１及び図２に示すように、容器本体１０は、底面を有し、天面が開口された円筒状に形成されている。容器本体１０の開口縁には、円筒状の連結部１１が設けられている。連結部１１の外周面には、雄ネジ部１２が形成されている。また、連結部１１の内側には、しごき部材１３が嵌め込まれている。しごき部材１３は、円筒状に形成され、その内径が上端部から下端部にかけて徐々に小さくなるように形成されている。
そして、容器本体１０には、化粧料として、まつ毛（塗布対象毛）に塗布されるマスカラ液が収容される。
【００１３】
図１及び図３に示すように、キャップ２０は、天面を有し、底面が開口された円筒状に形成されている。キャップ２０の下端部の内周面には、容器本体１０の雄ネジ部１２に対応する雌ネジ部２１が形成されている。また、キャップ２０の内側には、保持部３１を固定するための固定部材２２が嵌合されている。固定部材２２は、円筒状に形成され、その下端部に固定孔２３が設けられている。
化粧料塗布具３０は、キャップ２０の内側に取り付けられた保持部３１と、保持部３１の下端部に取り付けられた芯材３２と、芯材３２の下端部（一端部）に形成された塗布部３３と、を有している。
保持部３１は、円柱状に形成されている。保持部３１は、その上端部が固定部材２２の固定孔２３内に嵌合されることによって、その中心軸とキャップ２０の中心軸とが同軸となるように、キャップ２０に固定されている。保持部３１の下端部は、キャップ２０の下端から下方に向かって突出している。図４に示すように、保持部３１の下端部には、芯材３２の上端部（他端部）が挿入される挿入孔３１ａが設けられている。保持部３１の外径は、塗布部３３の外径（後述するスクリューブラシＳの外径）より小さくなっている。
【００１４】
芯材３２は、金属ワイヤー等により棒状に形成されている。芯材３２は、その上端部が保持部３１の挿入孔３１ａに挿入された状態で、保持部３１に固定される。ここで、芯材３２は、その中心軸と保持部３１の中心軸とが同軸となるように、保持部３１によって保持される。本実施形態では、芯材３２は、塗布部３３と保持部３１との間に所定の隙間ｘが設けられた状態で、保持部３１に固定されている。
図４及び図５に示すように、塗布部３３は、芯材３２の下端部における所定範囲に形成されている。塗布部３３は、芯材３２から放射状に延びる複数の毛材３３ａにより形成されている。毛材３３ａは、ナイロン、テトロン、ポリエステル、ＰＰ等の合成樹脂材料により形成される。
【００１５】
本実施形態では、塗布部３３は、図６に示すスクリューブラシＳを形成した後に、このスクリューブラシＳの外周面において毛先平面ｆ（ｆ１，ｆ２，ｆ３）を形成することによって作られる。
すなわち、塗布部３３を形成する際には、まず、芯材３２の下端部の所定範囲において、複数の毛材３３ａを芯材３２から放射状に延びるように配設して、仕掛品であるスクリューブラシＳを形成する。具体的には、図６（ａ）に示すように、芯材３２の下端部の所定範囲において、複数の毛材３３ａを２本の針金の間に挟持しながら、この２本の針金を螺旋状にねじり合せる。これにより、図６（ｂ）に示すように、芯材３２の下端部の所定範囲において、芯材３２から放射状に延びるように複数の毛材３３ａが螺旋状に配設されて、スクリューブラシＳが形成される。スクリューブラシＳは、芯材３２に沿って延びる円柱状に形成され、その外周面において曲面状の毛先面が形成されている。塗布部３３の芯材３２に直交する断面は、略円形に形成されている。
ここで、スクリューブラシＳの半径（後述する毛先円弧面ｃを形成する毛材３３ａの長さ）ｙが２．３５ｍｍ未満となると、毛材３３ａの長さが足りず、まつ毛におけるマスカラ液の塗布（塗り延ばし）が困難となる。一方、スクリューブラシＳの半径ｙが２．６５ｍｍを超えると、まつ毛の根本に近い部分へのマスカラ液の塗布（塗り延ばし）が困難となる。そこで、本実施形態では、スクリューブラシＳの半径（芯材３２から毛材３３ａの先端までの長さ）ｙは、２．３５ｍｍ以上、２．６５ｍｍ以下に設定されている。
【００１６】
次に、スクリューブラシＳを形成する複数の毛材３３ａのうち一部の毛材３３ａの先端部をカットして、スクリューブラシＳの外周面において毛先平面ｆを形成する。毛先面ｆは、上記カットされた一部の毛材３３ａの先端が略同一平面上に配設されてなる毛先面であり、芯材３２に対して略平行に延びるように形成される。
ここで、芯材３２と毛先平面ｆとの距離ｄを１．３５ｍｍ未満に設定すると、毛先平面ｆの形成が困難となる。一方、芯材３２と毛先平面ｆとの距離ｄが１．６５ｍｍを超えると、毛先平面ｆに保持されるマスカラ液の量が不足して、まつ毛へのマスカラ液の適切な塗布量を満たさなくなる。そこで、本実施形態では、芯材３２と毛先平面ｆとの距離ｄは、１．３５ｍｍ以上、１．６５ｍｍ以下に設定されている。ここで、芯材３２と毛先平面ｆとの距離ｄとは、芯材３２の所定点から毛先平面ｆに下した垂線の距離をいう（以下、同様）。
【００１７】
本実施形態では、図５に示すように、塗布部３３は、スクリューブラシＳの外周面において３つの毛先平面ｆ１，ｆ２，ｆ３が形成されてなる。各毛先面ｆ１，ｆ２，ｆ３は、略方形に形成されている。また、毛先面ｆ１と毛先面ｆ２とがなす内角及び毛先面ｆ１と毛先面ｆ３とがなす内角は、それぞれ、略直角となっている。
これにより、塗布部３３の外周面には、毛先面として、１つの毛先円弧面ｃと、３つの毛先平面ｆ１，ｆ２，ｆ３とが設けられる。そして、塗布部３３の芯材３２に直交する断面は、略蒲鉾形（食パン形）に形成される。ここで、毛先円弧面ｃは、スクリューブラシＳの毛先面の一部がそのまま残ったものであり、スクリューブラシＳを形成する複数の毛材３３ａのうちカットされていない毛材３３ａ（複数の毛材のうち他部の毛材）の先端が略同一円弧面上に配設されてなる毛先面である。
【００１８】
特に、図５に示すように、芯材３２と毛先平面ｆ１との距離ｄ１、芯材３２と毛先平面ｆ２との距離ｄ２及び芯材３２と毛先平面ｆ３との距離ｄ３は、それぞれ、１．３５ｍｍ以上、１．６５ｍｍ以下に設定されている。また、毛先円弧面ｃを形成する毛材３３ａの長さ（芯材３２と円弧面ｃとの距離）ｙは、２．３５ｍｍ以上、２．６５ｍｍ以下に設定されている。これにより、塗布部３３では、各毛先平面ｆ２，ｆ３の面積が毛先平面ｆ１の面積より大きくなり、各毛先平面ｆ２，ｆ３において、毛先平面ｆ１より多くの量のマスカラ液を保持することができる。よって、本実施形態に係る化粧料塗布具３０は、後述するように、毛先平面ｆ２，ｆ３を用いて、まつ毛に対するマスカラ液の塗布を行い、毛先円弧面ｃを用いて、まつ毛に塗布されたマスカラ液の塗り延ばしを行うように構成されている。
ここで、塗布部３３の全長ｚが１７．５ｍｍ未満となると、塗布部３３により塗布可能なまつ毛の範囲が狭くなる結果、まつ毛へのマスカラ液の塗布回数が増えて、まつ毛に対するマスカラ液の均一な塗布が困難となる。一方、塗布部３３の全長ｚが１８．５ｍｍを超えると、化粧料塗布具３０の取り扱いが困難となり、まつ毛の根本に近い部分へのマスカラ液の塗布が困難となる。そこで、本実施形態では、図４に示すように、塗布部３３の全長ｚを、１７．５ｍｍ以上、１８．５ｍｍ以下に設定している。
【００１９】
（化粧料容器１の作用）
次に、化粧料容器１の作用について説明する。
キャップ２０が容器本体１０に装着された状態の化粧料容器１では、キャップ２０内に取り付けられた化粧料塗布具３０の塗布部３３が、容器本体１０に収容されているマスカラ液に浸った状態となっている。
そして、まつ毛へのマスカラ液の塗布を行う際には、キャップ２０を容器本体１０から取り外す。これによって、塗布部３３にマスカラ液を保持した状態で、化粧料塗布具３０が容器本体１０から抜き出される。
このとき、容器本体１０の連結部１１の内周面に設けられたしごき部材１３によって、塗布部３３において過剰に保持されているマスカラ液がしごき落とされる。
【００２０】
ここで、容器本体１０に収容されているマスカラ液の粘度は、塗布部３３に対して適切な量のマスカラ液が付着するように調整されている。また、容器本体１０に設けられたしごき部材１３の内径は、塗布部３３の外径に応じて適切に調整されている。そして、塗布部３３とマスカラ液と容器本体１０に設けられたしごき部材１３との関係性によって、化粧料塗布具３０が容器本体１０から抜き出された際に、塗布部３０が保持するマスカラ液の量が適切に調整される。
特に、しごき部材１２は円筒状（内面が曲面）に形成されているのに対して、各毛先平面ｆ２，ｆ３は略平面状に形成されている。これにより、化粧料塗布具３０が容器本体１０から抜き出された際に、各毛先平面ｆ２，ｆ３においては、しごき落とされるマスカラ液の量が抑制され、適切な量のマスカラ液を保持することが可能となる。一方、毛先円弧面ｃにおいては、適切な量のマスカラ液がしごき落とされ、後述する毛先円弧面ｃを用いたマスカラ液の塗り延ばし作業を容易に行うことが可能となる。
【００２１】
そして、キャップ２０を柄として操作し、塗布部３３をまつ毛に押し当てた状態で、塗布部３３をまつ毛に沿って回転又は移動させることによって、まつ毛に対してマスカラ液を塗布することができる。
ここで、化粧料塗布具３０では、塗布部３３において、複数の毛材３３ａのうち一部の毛材３３ａの先端が略同一平面上に配設されてなる毛先平面ｆ（特に、ｆ２，ｆ３）を有している。
これにより、毛先平面ｆ２，ｆ３において、毛先円弧面ｃ（他の部分）と比較して多い量のマスカラ液を保持することができる。一方、毛先円弧面ｃに保持されるマスカラ液の量は、毛先平面ｆ２，ｆ３と比較して少なくなる。
特に、化粧料塗布具３０では、芯材３２と毛先平面ｆ２，ｆ３との距離が、１．３５ｍｍ以上、１．６５ｍｍ以下に設定されていることにより、毛先平面ｆ２，ｆ３に保持されるマスカラ液の量が適量となる。
したがって、マスカラ液をまつ毛に対して塗布する際には、まず、塗布部３３のうち毛先平面ｆ２，ｆ３を用いて、毛先平面ｆ２，ｆ３に保持されているマスカラ液をまつ毛に付着させる。これにより、適切な量のマスカラ液をまつ毛に付着させることができる。
【００２２】
その後、塗布部３３のうち毛先円弧面ｃを用いて、まつ毛に付着されたマスカラ液を塗り延ばす。これにより、マスカラ液をまつ毛の全体に対して均一に塗り延ばすことができ、まつ毛における塗りムラ（ダマ）の発生を抑制することが可能となる。
特に、化粧料塗布具３０では、毛先円弧面ｃを形成する毛材３３ａの長さｙが２．３５ｍｍ以上、２．６５ｍｍ以下に設定されている。これにより、取扱いが容易となり、毛先円弧面ｃを用いて、まつ毛の生え際、つまり、まつ毛のより根本に近い部分からまつ毛の先端に至るまでマスカラ液を均一に塗布することが可能となる。
また、化粧料塗布具３０では、塗布部３３の全長ｚが、１７．５ｍｍ以上、１８．５ｍｍ以下となっていることによって、塗布部３３の全長が適切に設定され、さらに取扱いが容易となる。
【００２３】
さらに、化粧料塗布具３０では、塗布部３３と保持部３１との間に隙間が設けられていることによって、塗布部３３の範囲が明確となり、まつ毛にマスカラ液を塗布する際に、保持部３１が邪魔になることを防止することが可能となる。
また、化粧料塗布具３０では、保持部３１の外径が塗布部３３の外径より小さくなっていることによって、まつ毛にマスカラ液を塗布する際に、保持部３１が邪魔になることがさらに防止され、まつ毛の根元に近い部分に対するマスカラ液の塗布を容易に行うことが可能となる。
以上のように、化粧料塗布具３０によれば、適切な量のマスカラ液をまつ毛に対して均一に塗布することができ、美しく仕上げることが可能となる。
【００２４】
（変形例）
以上、本発明の実施形態について説明したが、上記実施形態では、種々の変更を行うことが可能である。
例えば、上記実施形態では、スクリューブラシＳの毛先面の一部をそのまま残して、毛先円弧面ｃとしている。しかしながら、塗布部３３では、毛先円弧面ｃを形成する毛材３３ａの先端部をカットして平面状の毛先面ｃを形成しても構わない。この場合には、芯材３２と毛先面ｃとの距離は、芯材３２と毛先平面ｆとの距離よりも長く設定される。これによって、塗布部３３のうち毛先面ｃを用いて、まつ毛に付着されたマスカラ液を塗り延ばすことができる。
また、上記実施形態では、塗布部３３は、スクリューブラシＳの外周面において３つの毛先平面ｆ１，ｆ２，ｆ３を形成して作られている。しかしながら、塗布部３３は、スクリューブラシＳの外周面において、毛先平面ｆ１を形成せずに、２つの毛先平面ｆ２，ｆ３を形成して作られていても構わない。この場合には、塗布部３３は、毛先面として、２つの毛先円弧面ｃと、２つの毛先平面ｆ２，ｆ３とを有することになる。
【符号の説明】
【００２５】
１      化粧料容器
１０    容器本体
１１    連結部
１２    雄ネジ部
１３    しごき部材
２０    キャップ
３０    化粧料塗布具
３１    保持部
３１ａ  挿入孔
３２    芯材
３３    塗布部
３３ａ  毛材
ｆ      毛先平面
ｃ      毛先円弧面
Ｓ      スクリューブラシ
【図１】
0003173590.tif 000003
【図２】
0003173590.tif 000004
【図３】
0003173590.tif 000005
【図４】
0003173590.tif 000006
【図５】
0003173590.tif 000007
【図６】
0003173590.tif 000008